(57)【要約】【課題】ある出力デバイスに対して再生停止位置が設定された後も、その再生停止位置からの再生に限らず、他の出力デバイスに出力されている映像と同じ映像を同期して再生することもできる「映像再生システムおよび映像再生制御方法」を提供する。【解決手段】複数の出力デバイス毎に再生位置情報を記憶する再生位置情報記憶部１１と、ある出力デバイスにおいて映像の再生を開始する際、出力デバイス毎に記憶されている複数の再生位置情報の中から何れか１つを選択する再生位置情報選択部１２と、選択した再生位置情報に従って映像の再生を制御する再生制御部１３とを備え、ある出力デバイスにおいて映像の再生を開始する際、ある出力デバイスに対して設定された再生停止位置からの再生に限らず、他の出力デバイスについて記憶されている再生位置情報に基づいて映像の再生を開始することができるようにする。【選択図】図２
2017016719.tif 000002
【特許請求の範囲】
【請求項１】
１つの再生装置において再生された映像を複数の出力デバイスに出力し、出力デバイス毎に再生位置を管理可能になされた映像再生システムであって、
上記複数の出力デバイス毎に映像の再生位置を管理し、出力デバイス毎に再生位置情報を記憶する再生位置情報記憶部と、
ある出力デバイスにおいて映像の再生を開始する際、上記再生位置情報記憶部により出力デバイス毎に記憶されている複数の再生位置情報の中から何れか１つを選択する再生位置情報選択部と、
上記再生位置情報選択部により選択された再生位置情報に従って、上記ある出力デバイスにおける映像の再生を制御する再生制御部とを備えたことを特徴とする映像再生システム。
【請求項２】
上記再生位置情報選択部は、上記ある出力デバイスにおいて映像の再生を開始する際、上記再生位置情報記憶部により上記出力デバイス毎に記憶されている複数の再生位置情報をユーザに提示して何れかを選択させることを特徴とする請求項１に記載の映像再生システム。
【請求項３】
上記複数の出力デバイスに対して優先順位を設定した優先順位情報を記憶する優先順位情報記憶部を更に備え、
上記再生位置情報選択部は、
上記ある出力デバイスにおいて映像の再生を開始する際、上記優先順位情報を参照し、上記ある出力デバイスよりも優先順位の高い他の出力デバイスにおいて映像を再生中か否かを判定する優先順位判定部を備え、
上記優先順位判定部により上記優先順位の高い他の出力デバイスにおいて映像を再生中であると判定された場合は、当該他の出力デバイスについて上記再生位置情報記憶部により記憶されている再生位置情報を選択する一方、上記優先順位の高い他の出力デバイスにおいて映像を再生中ではないと判定された場合は、上記ある出力デバイスについて上記再生位置情報記憶部により記憶されている再生位置情報を選択することを特徴とする請求項１に記載の映像再生システム。
【請求項４】
上記再生位置情報記憶部は、上記複数の出力デバイス毎に、かつ、複数の異なるメディア毎に再生位置を管理し、出力デバイス毎およびメディア毎に再生位置情報を記憶し、
上記再生位置情報選択部は、上記ある出力デバイスにおいてあるメディアの映像の再生を開始する際、上記再生位置情報記憶部により当該あるメディアについて出力デバイス毎に記憶されている複数の再生位置情報の中から何れか１つを選択することを特徴とする請求項１〜３の何れか１項に記載の映像再生システム。
【請求項５】
上記再生位置情報記憶部は、上記複数の出力デバイス毎に再生位置を管理し、出力デバイス毎に再生位置情報を映像タイトルと共に記憶し、
上記再生位置情報選択部は、
上記ある出力デバイスにおいて映像の再生を開始する際、上記再生位置情報記憶部により出力デバイス毎に記憶されている複数の再生位置情報のうち、上記ある出力デバイスにおいて再生を開始する映像タイトルと同じ映像タイトルに関する再生位置情報の中から何れか１つを選択することを特徴とする請求項１〜４の何れか１項に記載の映像再生システム。
【請求項６】
１つの再生装置において再生された映像を複数の出力デバイスに出力し、出力デバイス毎に再生位置を管理可能になされた映像再生システムにおいて、上記映像の再生を制御する映像再生制御方法であって、
上記再生装置の再生位置情報記憶部が、上記複数の出力デバイス毎に再生位置を管理し、出力デバイス毎に再生位置情報を記憶する第１のステップと、
上記再生装置の再生位置情報選択部が、ある出力デバイスにおいて映像の再生を開始する際、上記再生位置情報記憶部により出力デバイス毎に記憶されている複数の再生位置情報の中から何れか１つを選択する第２のステップと、
上記再生装置の再生制御部が、上記再生位置情報選択部により選択された再生位置情報に従って、上記ある出力デバイスにおける映像の再生を制御する第３のステップとを有することを特徴とする映像再生制御方法。
【発明の詳細な説明】
【技術分野】
【０００１】
本発明は、映像再生システムおよび映像再生制御方法に関し、特に、１つの再生装置において再生された映像を複数の出力デバイスに出力し、出力デバイス毎に再生位置を管理可能になされた映像再生システムに用いて好適なものである。
【背景技術】
【０００２】
従来、ＡＶ機器と複数のモニタとを車内ネットワークで接続し、１つのＡＶ機器から複数のモニタへ任意のメディアの映像を出力できるように成された映像再生システムが提供されている。この種の映像再生システムでは、１つのＡＶ機器において複数の異なるメディアを同時に再生し（多重デコード）、複数のモニタに対して異なるメディアの映像をそれぞれ出力することが可能となっている。
【０００３】
また、この種の映像再生システムでは、映像の再生を途中で停止したときに、その停止位置を記憶しておき、次回の再生の際はその停止位置から再生を開始するという、いわゆるレジューム機能を備えていることが多い。このレジューム機能に関しては、映像の出力デバイスごとにレジュームポイント（再生停止位置）を管理するようにした技術も知られている（例えば、特許文献１参照）。
【０００４】
特許文献１に記載の映像タイトル再生システムでは、複数のユーザが異なる映像タイトルを複数の再生装置でそれぞれ視聴する場合に、各再生装置で再生される映像タイトルに対するレジュームポイントを映像タイトルと共にレジューム管理部で一元的に管理することにより、各再生装置での再生を問わず視聴部分までのレジュームポイントが常に最新の状態で管理されるようになっている。
【先行技術文献】
【特許文献】
【０００５】
【特許文献１】特開２００７−１８０８１８号公報
【発明の概要】
【発明が解決しようとする課題】
【０００６】
上記特許文献１に記載の技術によれば、ある再生装置で映像を視聴しているユーザと、別の再生装置で映像を視聴しているユーザとでレジュームポイントを別々に管理することが可能である。しかしながら、各再生装置でのレジュームポイントを別々に管理するが故に、各再生装置では、それぞれに対して設定されたレジュームポイントに従って映像の再生を行うことしかできない。そのため、複数の再生装置に対していったん異なるレジュームポイントが設定されると、当該複数の再生装置において同じ映像を同期して再生することができなくなってしまうという問題があった。
【０００７】
本発明は、このような問題を解決するために成されたものであり、１つの再生装置において再生された映像を複数の出力デバイスに出力し、出力デバイス毎に再生位置を管理可能になされた映像再生システムにおいて、ある出力デバイスに対して再生停止位置が設定された後も、その再生停止位置からの再生に限らず、他の出力デバイスに出力されている映像と同じ映像を同期して再生することもできるようにすることを目的とする。
【課題を解決するための手段】
【０００８】
上記した課題を解決するために、本発明では、複数の出力デバイス毎に再生位置を管理し、出力デバイス毎に再生位置情報を記憶する。そして、ある出力デバイスにおいて映像の再生を開始する際、出力デバイス毎に記憶されている複数の再生位置情報の中から何れか１つを選択し、選択した再生位置情報に従って映像の再生を制御するようにしている。
【発明の効果】
【０００９】
上記のように構成した本発明によれば、ある出力デバイスに対して再生停止位置が設定された後、当該ある出力デバイスにおいて映像の再生を開始する際、他の出力デバイスも含めて複数の出力デバイス毎に記憶されている複数の再生位置情報の中から選択された再生位置情報に従って映像の再生が行われることとなる。これにより、ある出力デバイスに対して設定された再生停止位置からの再生に限らず、他の出力デバイスについて記憶されている再生位置情報に基づいて映像の再生を開始することができる。したがって、他の出力デバイスに出力されている映像と同じ映像を同期して再生することもできるようになる。
【図面の簡単な説明】
【００１０】
【図１】第１および第２の実施形態による映像再生システムの全体構成例を示す図である。
【図２】第１の実施形態による再生装置の機能構成例を示すブロック図である。
【図３】本実施形態による再生位置情報記憶部が記憶する再生位置情報の一例を示す図である。
【図４】第１の実施形態による再生装置の動作例を示すフローチャートである。
【図５】第１の実施形態による再生装置の具体的な動作例を説明するための図である。
【図６】第２の実施形態による再生装置の機能構成例を示すブロック図である。
【図７】第２の実施形態による再生装置の動作例を示すフローチャートである。
【発明を実施するための形態】
【００１１】
（第１の実施形態）
以下、本発明の第１の実施形態を図面に基づいて説明する。図１は、第１の実施形態による映像再生システムの全体構成例を示す図である。図１に示すように、第１の実施形態による映像再生システムは、再生装置１０と、２つの出力デバイス２１，２２とを備えて構成されている。この映像再生システムは、１つの再生装置１０において再生された映像を２つの出力デバイス２１，２２に出力し、出力デバイス２１，２２毎に再生位置を管理可能になされている。
【００１２】
本実施形態による映像再生システムは、例えば車両に搭載される車載システムであり、一方の出力デバイス２１はフロントモニタ、他方の出力デバイス２２はリアモニタであるものとする。以下では、２つの出力デバイス２１，２２を区別して示すときは、フロントモニタ２１、リアモニタ２２と記す。なお、再生装置１０と２つの出力デバイス２１，２２との間は、車内ネットワークを通じて接続されている。
【００１３】
図２は、再生装置１０の機能構成例を示すブロック図である。図２に示すように、第１の実施形態による再生装置１０は、その機能構成として、再生位置情報記憶部１１、再生位置情報選択部１２および再生制御部１３を備えている。なお、これらの各機能ブロック１１〜１３は、ハードウェア、ＤＳＰ（Digital Signal Processor）、ソフトウェアの何れによっても構成することが可能である。例えばソフトウェアによって構成する場合、上記各機能ブロック１１〜１３は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００１４】
再生位置情報記憶部１１は、２つの出力デバイス２１，２２毎に映像の再生位置を管理し、出力デバイス２１，２２毎に再生位置情報を記憶する。ここで管理する再生位置とは、映像の先頭からの再生経過時間である。再生位置情報記憶部１１は、再生が行われた映像について先頭からの経過時間をカウントし、その経過時間を再生位置情報として随時更新して記憶する。
【００１５】
図３は、再生位置情報記憶部１１が記憶する再生位置情報の一例を示す図である。図３に示すように、再生位置情報記憶部１１は、２つの出力デバイス２１，２２毎に、かつ、複数の異なるメディア毎に映像の再生位置を管理し、出力デバイス２１，２２毎およびメディア毎に再生位置情報を記憶する。図３の例では、メディアの例として、ＤＶＤ（Digital Versatile Disk）、ＨＤＤ（ハードディスク）、メモリカードが示されている。また、再生位置情報記憶部１１は、再生位置情報を映像タイトルと共に記憶する。
【００１６】
再生位置情報選択部１２は、ある出力デバイスにおいて、あるメディアの映像の再生を開始する際、再生位置情報記憶部１１により当該あるメディアについて出力デバイス２１，２２毎に記憶されている２つの再生位置情報の中から何れか１つを選択する。特に、本実施形態では、再生位置情報記憶部１１により出力デバイス２１，２２毎に記憶されている２つの再生位置情報のうち、ある出力デバイスにおいて再生を開始する映像タイトルと同じ映像タイトルに関する再生位置情報の中から何れか１つを選択する。
【００１７】
例えば、図３の例において、フロントモニタ２１においてＤＶＤの映像の再生を開始する際（例えば、図示しない再生ボタンを操作した際）、再生位置情報選択部１２は、ＤＶＤについて出力デバイス２１，２２毎に記憶されている２つの再生位置情報（フロントモニタ２１の再生位置情報「００：０５：３０」またはリアモニタ２２の再生位置情報「００：２０：００」）のうち、フロントモニタ２１において再生を開始する映像タイトルと同じ映像タイトルに関する再生位置情報の中から何れか１つを選択する。
【００１８】
図３の例では、フロントモニタ２１の再生位置情報とリアモニタ２２の再生位置情報とが共に同じ映像タイトル「ＴＩＴＬＥ−１」のものである。この場合、再生位置情報選択部１２は、フロントモニタ２１の再生位置情報「００：０５：３０」またはリアモニタ２２の再生位置情報「００：２０：００」の何れか１つを選択する。これに対し、フロントモニタ２１の再生位置情報だけが、フロントモニタ２１において再生を開始する映像タイトルと同じ映像タイトルに関するものであった場合、再生位置情報選択部１２は、当該フロントモニタ２１の再生位置情報「００：０５：３０」を選択する。
【００１９】
第１の実施形態では、２つの再生位置情報の中から何れか１つを選択する方法として、次の方法を採用している。すなわち、再生位置情報選択部１２は、フロントモニタ２１において映像の再生を開始する際に、再生位置情報記憶部１１により記憶されている２つの再生位置情報をユーザに提示して、何れか１つをユーザに選択させる。例えば、再生位置情報選択部１２は、２つの再生位置情報をタッチパネル付きのディスプレイ（図示せず）に表示する。そして、ユーザによるタッチパネルの操作を通じて指定された何れか一方の再生位置情報を選択する。
【００２０】
再生制御部１３は、再生位置情報選択部１２により選択された再生位置情報に従って、ある出力デバイスにおける映像の再生を制御する。再生制御部１３の制御によって映像の再生が開始されると、映像の先頭からの再生経過時間が更新されていく。上述したように、再生位置情報記憶部１１は、更新される再生経過時間を再生位置情報として随時記憶していく。図３に示す例では、再生位置情報が１秒刻みで随時更新して記憶されていく。そして、映像の再生が停止されたとき（例えば、図示しない停止ボタンが操作されたとき）、再生位置情報の記憶の更新も停止する。
【００２１】
図４は、以上のように構成した第１の実施形態による再生装置１０の動作例を示すフローチャートである。図４に示すフローチャートは、出力デバイス２１，２２の何れかにおいて再生ボタンが操作されたときに開始する。なお、ここでは、映像の再生を開始するところまでの処理の流れを説明する。
【００２２】
まず、再生位置情報選択部１２は、再生位置情報記憶部１１により出力デバイス２１，２２毎かつメディア毎に記憶されている再生位置情報の中から、再生ボタンの操作によって再生の開始が指示されたメディアに関する再生位置情報で、かつ、再生の開始が指示された映像タイトルと同じ映像タイトルの再生位置情報を抽出する（ステップＳ１）。
【００２３】
次に、再生位置情報選択部１２は、ステップＳ１で抽出された再生位置情報が２つであるか否かを判定する（ステップＳ２）。ここで、抽出された再生位置情報が２つであると判定した場合、再生位置情報選択部１２は、当該抽出された２つの再生位置情報をユーザに提示して、何れか１つをユーザに選択させる（ステップＳ３）。そして、再生位置情報選択部１２は、ユーザにより選択された再生位置情報を採用する（ステップＳ４）。
【００２４】
一方、上記ステップＳ２において、ステップＳ１で抽出された再生位置情報が１つであると判定した場合、再生位置情報選択部１２は、当該抽出された１つの再生位置情報を採用する（ステップＳ５）。そして、再生制御部１３は、ステップＳ４またはステップＳ５で選択された再生位置情報に従って映像の再生を開始し、再生ボタンが操作された出力デバイスに対して再生映像を出力する（ステップＳ６）。これにより、図４に示すフローチャートの処理は終了する。
【００２５】
以上詳しく説明したように、第１の実施形態では、複数の出力デバイス２１，２２毎かつ複数のメディア毎に映像の再生位置を管理し、出力デバイス２１，２２毎かつメディア毎に再生位置情報を記憶する。そして、ある出力デバイスにおいて映像の再生を開始する際、出力デバイス２１，２２毎かつメディア毎に記憶されている複数の再生位置情報の中から何れか１つをユーザに選択させ、選択された再生位置情報に従って映像の再生の開始を制御するようにしている。
【００２６】
このように構成した第１の実施形態によれば、ある出力デバイスに対して再生停止位置が設定された後（再生位置情報の更新が停止した後）、当該ある出力デバイスにおいて映像の再生を開始する際、当該ある出力デバイスに対して設定された再生停止位置からの再生に限らず、他の出力デバイスについて記憶されている再生位置情報に基づいて映像の再生を開始することができる。したがって、他の出力デバイスに出力されている映像と同じ映像を同期して再生することもできるようになる。
【００２７】
例えば、図５に示すように、フロントモニタ２１とリアモニタ２２との両方において、ＤＶＤの同じ映像タイトルの映像の再生を同時に開始した後、その５分３０秒後にフロントモニタ２１では映像の再生を停止してナビゲーション画面に切り替えたとする。この場合、フロントモニタ２１の再生位置情報は「００：０５：３０」で更新が停止する。一方、リアモニタ２２の再生位置情報は更新が続けられる。
【００２８】
そして、映像の再生開始からちょうど２０分後に、フロントモニタ２１において、停止していた映像の再生を再開する指示が行われたとする。この時点で、フロントモニタ２１の再生位置情報は「００：０５：３０」であり、リアモニタ２２の再生位置情報は「００：２０：００」である。この場合、フロントモニタ２１を視聴している前座席のユーザは、何れかの再生位置情報を選択して映像の再生を再開させることができる。つまり、自分が前に見ていた場面の続きから再生を続ける選択をすることもできるし、リアモニタ２２に出力されている映像に同期させて再生を開始する選択をすることもできる。
【００２９】
なお、前座席のユーザが何れかの再生位置情報を選択している間も、リアモニタ２２の再生位置情報は更新を続けている。よって、ユーザがリアモニタ２２の再生位置情報を選択したときは、その選択した時点での再生位置情報に従って映像の再生位置を制御するのが好ましい。
【００３０】
（第２の実施形態）
次に、本発明の第２の実施形態を図面に基づいて説明する。第２の実施形態において、映像再生システムの全体構成は、図１と同様である。図６は、第２の実施形態による再生装置１０’の機能構成例を示すブロック図である。なお、この図６において、図２に示した符号と同一の符号を付したものは同一の機能を有するものであるので、ここでは重複する説明を省略する。
【００３１】
図６に示すように、第２の実施形態による再生装置１０’は、優先順位情報記憶部１４を更に備えている。また、再生装置１０’は、再生位置情報選択部１２に代えて再生位置情報選択部１２’を備えている。再生位置情報選択部１２’は、優先順位判定部１２Ａを備えている。
【００３２】
優先順位情報記憶部１４は、複数の出力デバイス２１，２２に対して優先順位を設定した優先順位情報を記憶する。例えば、優先順位情報記憶部１４は、子供が乗車する後部座席のリアモニタ２２の優先順位をフロントモニタ２１よりも上位に設定した優先順位情報を記憶する。なお、フロントモニタ２１とリアモニタ２２のどちらを優先順位の上位にするかは、タッチパネル等の操作によってユーザが任意に設定することが可能である。
【００３３】
再生位置情報選択部１２’の優先順位判定部１２Ａは、ある出力デバイスにおいて映像の再生を開始する際、優先順位情報記憶部１４に記憶されている優先順位情報を参照し、当該ある出力デバイスよりも優先順位の高い他の出力デバイスがあるか否かを判定する。そして、優先順位の高い他の出力デバイスがある場合は、当該他の出力デバイスにおいて、ある出力デバイスにおいて再生しようとしている映像タイトルと同じ映像タイトルの映像を再生中か否かをさらに判定する。同じ映像タイトルの映像を再生中か否かは、再生制御部１３の動作を確認して判定するようにしてもよいし、再生位置情報記憶部１１に記憶される再生位置情報が更新中か否かを確認して判定するようにしてもよい。
【００３４】
例えば、リアモニタ２２の優先順位がフロントモニタ２１よりも上位に設定されている場合において、フロントモニタ２１において映像の再生を開始する際、優先順位判定部１２Ａは、フロントモニタ２１よりも優先順位の高い他の出力デバイス（リアモニタ２２）があると判定する。よって、この場合はさらに、当該リアモニタ２２において、フロントモニタ２１において再生しようとしている映像タイトルと同じ映像タイトルの映像を再生中か否かを判定する。一方、リアモニタ２２において映像の再生を開始する際、優先順位判定部１２Ａは、リアモニタ２２よりも優先順位の高い他の出力デバイスがないと判定する。
【００３５】
再生位置情報選択部１２’は、映像の再生を開始する出力デバイスよりも優先順位の高い他の出力デバイスにおいて同じ映像タイトルの映像を再生中であると優先順位判定部１２Ａにより判定された場合、当該他の出力デバイスについて再生位置情報記憶部１１により記憶されている再生位置情報を選択する。一方、映像の再生を開始する出力デバイスよりも優先順位の高い他の出力デバイスにおいて映像を再生中ではない（優先順位の高い他の出力デバイスがないか、あっても映像の再生中ではない）と判定された場合、再生位置情報選択部１２’は、ある出力デバイスについて再生位置情報記憶部１１により記憶されている再生位置情報を選択する。
【００３６】
図７は、以上のように構成した第２の実施形態による再生装置１０’の動作例を示すフローチャートである。図７に示すフローチャートは、出力デバイス２１，２２の何れかにおいて再生ボタンが操作されたときに開始する。なお、ここでは、映像の再生を開始するところまでの処理の流れを説明する。
【００３７】
まず、優先順位判定部１２Ａは、優先順位情報記憶部１４に記憶されている優先順位情報を参照し、再生ボタンが操作された出力デバイスよりも優先順位の高い他の出力デバイスがあるか否かを判定する（ステップＳ１１）。そして、優先順位の高い他の出力デバイスがある場合は、当該他の出力デバイスにおいて、再生ボタンの操作により指定された映像タイトルと同じ映像タイトルの映像を再生中か否かをさらに判定する（ステップＳ１２）。
【００３８】
ここで、優先順位の高い他の出力デバイスにおいて同じ映像タイトルの映像を再生中であると判定された場合、再生位置情報選択部１２’は、他の出力デバイスについて再生位置情報記憶部１１により記憶されている再生位置情報を採用する（ステップＳ１３）。一方、上記ステップＳ１１で優先順位の高い他の出力デバイスがないと判定された場合、および、上記ステップＳ１２で同じ映像タイトルの映像を再生中ではないと判定された場合、再生位置情報選択部１２’は、再生ボタンが操作された出力デバイスについて再生位置情報記憶部１１により記憶されている再生位置情報を採用する（ステップＳ１４）。
【００３９】
そして、再生制御部１３は、ステップＳ１３またはステップＳ１４で選択された再生位置情報に従って映像の再生を開始し、再生ボタンが操作された出力デバイスに対して再生映像を出力する（ステップＳ１５）。これにより、図７に示すフローチャートの処理は終了する。
【００４０】
以上詳しく説明したように、第２の実施形態では、複数の出力デバイス２１，２２毎かつ複数のメディア毎に映像の再生位置を管理し、出力デバイス２１，２２毎かつメディア毎に再生位置情報を記憶する。そして、ある出力デバイスにおいて映像の再生を開始する際、出力デバイス２１，２２毎かつメディア毎に記憶されている複数の再生位置情報の中から何れか１つを優先順位に沿って選択し、選択された再生位置情報に従って映像の再生の開始を制御するようにしている。
【００４１】
このように構成した第２の実施形態によれば、ある出力デバイスに対して再生停止位置が設定された後（再生位置情報の更新が停止した後）、当該ある出力デバイスにおいて映像の再生を開始する際、再生しようとする映像タイトルが、より優先順位の高い他の出力デバイスで再生中であれば、当該他の出力デバイスに出力されている映像と同期して再生することができる。一方、ある出力デバイスにおいて再生しようとする映像タイトルが、より優先順位の高い他の出力デバイスで再生中でなければ、当該ある出力デバイスについて記憶されている再生位置情報に従って映像の再生を開始することができる。
【００４２】
なお、上記第１および第２の実施形態では、出力デバイス２１，２２毎かつメディア毎に再生位置情報を記憶する例について説明したが、本発明はこれに限定されない。例えば、１つのメディアのみに対応した再生装置を用いる場合は、出力デバイス２１，２２毎に再生位置情報を記憶すればよい。
【００４３】
また、上記第１および第２の実施形態では、ある出力デバイスにおいて映像の再生を開始する際、当該ある出力デバイスにおいて再生を開始する映像タイトルと同じ映像タイトルに関する再生位置情報の中から何れか１つを選択する例について説明したが、本発明はこれに限定されない。すなわち、ある出力デバイスにおいてあるメディアの映像の再生を開始する際、当該あるメディアについて出力デバイス２１，２２毎に記憶されている２つの再生位置情報が異なる映像タイトルのものであっても、その２つの中から何れか１つを選択するようにしてもよい。
【００４４】
また、上記第１および第２の実施形態では、出力デバイス２１，２２が２つの例について説明したが、３つ以上であってもよい。また、上記第１および第２の実施形態では、映像再生システムを車載システムに適用する例について説明したが、車載システム以外に適用することも可能である。
【００４５】
また、上記第１の実施形態と上記第２の実施形態とを組み合わせて適用するようにしてもよい。例えば、第１の実施形態のようにユーザ選択に基づき再生位置情報を選択するモードと、第２の実施形態のように優先順位に基づき再生位置情報を選択するモードとの何れかをユーザが選択して設定できるようにすることが可能である。
【００４６】
その他、上記第１および第２の実施形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【００４７】
１０，１０’  再生装置
１１  再生位置情報記憶部
１２，１２’  再生位置情報選択部
１２Ａ  優先順位判定部
１３  再生制御部
１４  優先順位情報記憶部
２１，２２  出力デバイス
【図１】
2017016719.tif 000003
【図２】
2017016719.tif 000004
【図３】
2017016719.tif 000005
【図４】
2017016719.tif 000006
【図５】
2017016719.tif 000007
【図６】
2017016719.tif 000008
【図７】
2017016719.tif 000009